(57)【要約】【課題】車内の座席を個別に照明する読書灯等のオンオフ操作をより容易に行う。【解決手段】運転席３や助手席５を照明範囲とするマップランプ２１，２３のオンオフ用のマップランプスイッチ２１ａ，２３ａを、運転席３や助手席５の乗員だけでなく、後ろ隣りの２列目の座席７，９の乗員からも接触操作できるように配置した。また、２列目の座席７，９を照明範囲とする読書灯２５，２７のオンオフ用の読書灯スイッチ２５ａ，２７ａを、２列目の座席７，９の乗員だけでなく、前隣りの運転席３や助手席５の乗員や後ろ隣りの３列目の座席１１の乗員からも接触操作できるように配置した。さらに、本実施形態では、３列目の座席１１を照明範囲とする読書灯２９，３１のオンオフ用の読書灯スイッチ２９ａ，３１ａを、３列目の座席１１の乗員だけでなく、前隣りの２列目の座席７，９の乗員からも接触操作できるように配置した。【選択図】図３
2016055838.tif 000002
【特許請求の範囲】
【請求項１】
車両の室内を照明する車内照明装置において、
前記室内の座席を個別に照明する複数の座席別照明と、
前記各座席別照明に対応して前記室内に複数設けられ、対応する各座席に着席した乗員の接触可能な領域と該座席に隣り合う座席に着席した乗員の接触可能な領域とを有し、これらの領域への接触により対応する前記座席別照明が点灯、消灯される座席別操作部と、
を備えることを特徴とする車内照明装置。
【請求項２】
前記座席別操作部は、前記対応する各座席及びその前後に隣り合う座席に着席した乗員の接触可能な領域を有していることを特徴とする請求項１記載の車内照明装置。
【請求項３】
前記座席別操作部は、前記室内の天井部に配置されていることを特徴とする請求項１又は２記載の車内照明装置。
【発明の詳細な説明】
【技術分野】
【０００１】
本発明は、車両の室内を照明する車内照明装置に関する。
【背景技術】
【０００２】
車両の室内を照明する車内照明装置として、車内に読書灯が設けられることがある。読書灯は個別の座席に対応して複数設けられ、各読書灯は対応する座席を個別に照明する。各読書灯の点灯、消灯は個別のスイッチの操作によってそれぞれ行われる（例えば、特許文献１）。
【０００３】
なお、読書灯のスイッチは、読書灯を利用する座席の乗員が操作できるように、座席側方のドアや窓の上方（例えば、ルーフライナの側部）等、座席の乗員の視界上に配置される。
【先行技術文献】
【特許文献】
【０００４】
【特許文献１】特開２０１４−７３７６２号公報
【発明の概要】
【発明が解決しようとする課題】
【０００５】
読書灯のスイッチには押しボタン式やスライド式等があるが、何れも操作部が小さく走行中の車内で操作するのは容易でない。また、座席の位置をスライドするとスイッチから遠ざかって操作が容易でなくなることがある。さらに、消し忘れた読書灯を他の座席の乗員が消したり、子供が着席した座席の読書灯を親が付けたり消したりする場合には、その読書灯によって照明される座席に移動してスイッチを操作しなければならない。
【０００６】
本発明は前記事情に鑑みなされたもので、本発明の目的は、車内の座席を個別に照明する読書灯等の点灯、消灯の操作性をより向上させることができる車内照明装置を提供することにある。
【課題を解決するための手段】
【０００７】
前記目的を達成するために、請求項１に記載した本発明の車内照明装置は、
車両の室内を照明する車内照明装置において、
前記室内の座席を個別に照明する複数の座席別照明と、
前記各座席別照明に対応して前記室内に複数設けられ、対応する各座席に着席した乗員の接触可能な領域と該座席に隣り合う座席に着席した乗員の接触可能な領域とを有し、これらの領域への接触により対応する前記座席別照明が点灯、消灯される座席別操作部と、
を備えることを特徴とする。
【０００８】
請求項１に記載した本発明の車内照明装置によれば、座席別操作部が、対応する座席別照明によって照明される座席に着席した乗員とその座席に隣り合う座席に着席した乗員とによって接触操作可能となる。このため、座席別照明の点灯、消灯の操作をその座席別照明によって照明される座席だけでなく隣の座席からもできるようにして、座席別照明の点灯、消灯の操作性をより向上させることができる。
【０００９】
また、請求項２に記載した本発明の車内照明装置は、請求項１に記載した本発明の車内照明装置において、前記座席別操作部は、前記対応する各座席及びその前後に隣り合う座席に着席した乗員の接触可能な領域を有していることを特徴とする。
【００１０】
請求項２に記載した本発明の車内照明装置によれば、請求項１に記載した本発明の車内照明装置において、各座席別操作部が、対応する座席別照明によって照明される座席とその前後の座席から接触操作可能となる。このため、座席の位置が前後に移動してもその座席に対応する座席別操作部を乗員が接触操作できるようにすることができる。
【００１１】
また、座席別操作部を前後の隣接する座席の乗員から接触可能に構成することで、座席別操作部が前後方向に長尺な形状となる。このため、例えば、年配の乗員は腕を高く上げることが比較的困難である等、座席別操作部の接触操作時に取れる姿勢が乗員の年代等によって異なっても、より多様な姿勢での座席別操作部の接触操作を可能にすることができる。
【００１２】
さらに、請求項３に記載した本発明の車内照明装置は、請求項１又は２に記載した本発明の車内照明装置において、前記座席別操作部は、前記室内の天井部に配置されていることを特徴とする。
【００１３】
請求項３に記載した本発明の車内照明装置によれば、請求項１又は２に記載した本発明の車内照明装置において、各座席別操作部が車内の天井部に配置されていることから、座席別照明を点灯、消灯させるとき以外に乗員が誤って座席別操作部を接触操作してしまわないようにすることができる。
【発明の効果】
【００１４】
本発明によれば、車内の座席を個別に照明する座席別照明の点灯、消灯の操作性をより向上させることができる。
【図面の簡単な説明】
【００１５】
【図１】本発明の一実施形態に係る車内照明装置の配置を示す説明図である。
【図２】図１に示すマップランプや読書灯の制御系の概略構成を示すブロック図である。
【図３】図２のマップランプスイッチや読書灯スイッチの車内における配置を示す説明図である。
【図４】本発明の一実施形態の変形例に係る車内照明装置の配置を示す説明図である。
【図５】本発明の一実施形態の他の変形例に係る車内照明装置の配置を示す説明図である。
【図６】本発明の他の実施形態に係る車内照明装置の配置を示す説明図である。
【発明を実施するための形態】
【００１６】
以下、本発明に係る車内照明装置の実施形態について、図面を参照して説明する。図１は本発明の一実施形態に係る車内照明装置の配置を示す説明図である。
【００１７】
図１に示すように、車両１には、運転席３や助手席５を照明するマップランプ２１，２３が、車内のルーフライナ１３（請求項中の室内の天井部に相当、図３参照）の前方中央に設けられる。また、ルーフライナ１３の左右両側にも、２列目や３列目の座席７，９，１１を照明する読書灯２５〜３１（請求項中の座席別照明に相当）がそれぞれ設けられる。
【００１８】
なお、図１中一点鎖線の円で示すのが、マップランプ２１，２３や読書灯２５〜３１による照明範囲である。３列目の座席１１は３人掛けであり、座席１１の真ん中（の乗員）は左右どちらの読書灯２９，３１によっても照明される。そして、本実施形態では、運転席３、助手席５及び座席７，９，１１が請求項中の座席に相当しており、マップランプ２１，２３や読書灯２５〜３１を含んで、本発明の一実施形態に係る車内照明装置が構成される。
【００１９】
次に、マップランプ２１，２３や読書灯２５〜３１の制御系の概略構成について、図２のブロック図を参照して説明する。本実施形態では、各マップランプ２１，２３は、光源３３ａ，３３ｂを有している。各読書灯２５〜３１もそれぞれ光源３３ｃ〜３３ｆを有している。各光源３３ａ〜３３ｆは、本実施形態では、ＲＧＢの３つのＬＥＤチップにより構成され、それぞれの輝度を調整することで、任意の色で発光できるように構成されている。
【００２０】
各マップランプ２１，２３や各読書灯２５〜３１の光源３３ａ〜３３ｆは、コントローラ内蔵コネクタ３５と共に回路基板３７に実装されている。コントローラ内蔵コネクタ３５は、多重通信線３９の雄コネクタ３９ａが接続可能な雌コネクタ部３５ａと、例えばワンチップマイコンからなるコントローラ３５ｂとを有している。
【００２１】
コントローラ３５ｂには、回路基板３７の不図示の導電パターンを介して光源３３ａ〜３３ｆが接続されている。そして、コントローラ３５ｂは、多重通信線３９を介して照明ＥＣＵ（Electronic Control Unit ）４３から入力される制御信号に基づいて、各マップランプ２１，２３の光源３３ａ，３３ｂや各読書灯２５〜３１の光源３３ｃ〜３３ｆの点灯、消灯を制御する。
【００２２】
上述した回路基板３７は、図３の説明図に示す車両１のルーフライナ１３と車両１のボディとの隙間（ルーフライナ１３の裏側）に配置されている。ルーフライナ１３は、車両１のサイドガラス５１〜５５の上端から天井にかけての室内を覆う内装材であり、ルーフライナ１３には、各マップランプ２１，２３や各読書灯２５〜３１の光源３３ａ〜３３ｆからの光を車内側に透過させるランプ窓（図示せず）が設けられている。
【００２３】
また、図２に示す回路基板３７上のコントローラ内蔵コネクタ３５に接続された照明ＥＣＵ４３からの多重通信線３９は、図３に示す車両１のピラー１５，１７の内部に配策されている。ピラー１５，１７内の配線が多重通信線３９であることから、各光源３３ａ〜３３ｆにそれぞれ連なる個別の配線をピラー１５，１７内に通線するのに比べて配線数を減らし、他の配線も多く通線されるピラー１５，１７内の限られたスペースを有効に活用することができる。
【００２４】
図２に示すように、照明ＥＣＵ４３には車内ＬＡＮ４１を介して、車両１の走行系や車体系の各種制御を行うエンジンＥＣＵ４５やシートＥＣＵ４９等が接続されている。また、照明ＥＣＵ４３には、マップランプ２１，２３をオンオフさせるマップランプスイッチ２１ａ，２３ａと、読書灯２５〜３１をオンオフさせる読書灯スイッチ２５ａ〜３１ａとが、不図示のインタフェースを介して接続されている。
【００２５】
マップランプスイッチ２１ａ，２３ａや読書灯スイッチ２５ａ〜３１ａは、いずれも、請求項中の座席別操作部に相当し、例えば静電容量方式のタッチパネルスイッチにより構成されている。照明ＥＣＵ４３は、マップランプスイッチ２１ａ，２３ａや読書灯スイッチ２５ａ〜３１ａが接触操作される度に、対応するマップランプ２１，２３や読書灯２５〜３１のオン（点灯）とオフ（消灯）とを繰り返す。
【００２６】
マップランプスイッチ２１ａ，２３ａや読書灯スイッチ２５ａ〜３１ａのタッチパネルは、図３に示すように、サイドガラス５１〜５５の上縁に沿ってルーフライナ１３に配置されている。マップランプスイッチ２１ａ，２３ａや読書灯スイッチ２５ａ〜３１ａは、車両１の前後方向を長手方向とする長尺な帯状を呈している。
【００２７】
マップランプスイッチ２１ａ，２３ａは、運転席３や助手席５に着席した乗員が運転席３や助手席５の前後方向への移動範囲の全域においてマップランプスイッチ２１ａ，２３ａを接触操作できる前後長さで形成されている。また、マップランプスイッチ２１ａ，２３ａの後端寄りの部分は、２列目の座席７，９に着席した乗員が座席７，９の前後方向への移動範囲の全域において接触操作できる位置に配置されている。
【００２８】
読書灯スイッチ２５ａ，２７ａは、２列目の座席７，９に着席した乗員が座席７，９の前後方向への移動範囲の全域において読書灯スイッチ２５ａ，２７ａを接触操作できる前後長さで形成されている。また、読書灯スイッチ２５ａ，２７ａの前端寄りの部分は、運転席３や助手席５に着席した乗員が運転席３や助手席５の前後方向への移動範囲の全域において接触操作できる位置に配置されている。さらに、読書灯スイッチ２５ａ，２７ａの後端寄りの部分は、３列目の座席１１に着席した乗員が座席１１の前後方向への移動範囲の全域において接触操作できる位置に配置されている。
【００２９】
読書灯スイッチ２９ａ，３１ａは、３列目の座席１１に着席した乗員が座席１１の前後方向への移動範囲の全域において読書灯スイッチ２９ａ，３１ａを接触操作できる前後長さで形成されている。また、読書灯スイッチ２９ａ，３１ａの前端寄りの部分は、２列目の座席７，９に着席した乗員が座席７，９の前後方向への移動範囲の全域において接触操作できる位置に配置されている。
【００３０】
照明ＥＣＵ４３は、マップランプ２１，２３や読書灯２５〜３１の点灯、消灯を制御する。そのために、照明ＥＣＵ４３は、ＣＰＵとＲＡＭ、ＲＯＭ、ハードディスク等（いずれも図示せず）を有している。そして、ＣＰＵは、ＲＯＭに格納されたプログラムにしたがい、ＲＡＭをワークエリアとして使用して、マップランプ２１，２３と読書灯２５〜３１の光源３３ａ〜３３ｆの点灯、消灯の制御を行う。
【００３１】
以上に説明したように、本実施形態では、運転席３や助手席５を照明範囲とするマップランプ２１，２３のオンオフ用のマップランプスイッチ２１ａ，２３ａを、運転席３や助手席５の乗員だけでなく、後ろ隣りの２列目の座席７，９の乗員からも接触操作できるように配置した。
【００３２】
同様に、本実施形態では、２列目の座席７，９を照明範囲とする読書灯２５，２７のオンオフ用の読書灯スイッチ２５ａ，２７ａを、２列目の座席７，９の乗員だけでなく、前隣りの運転席３や助手席５の乗員や後ろ隣りの３列目の座席１１の乗員からも接触操作できるように配置した。
【００３３】
また、本実施形態では、３列目の座席１１を照明範囲とする読書灯２９，３１のオンオフ用の読書灯スイッチ２９ａ，３１ａを、３列目の座席１１の乗員だけでなく、前隣りの２列目の座席７，９の乗員からも接触操作できるように配置した。
【００３４】
このため、マップランプ２１，２３や読書灯２５〜３１の点灯、消灯の操作を、マップランプ２１，２３や読書灯２５〜３１によって照明される運転席３や助手席５、２列目や３列目の座席７，９，１１だけでなく、前後の隣りの座席からもできるようにして、マップランプ２１，２３や読書灯２５〜３１の点灯、消灯の操作性をより向上させることができる。
【００３５】
また、本実施形態では、マップランプスイッチ２１ａ，２３ａや読書灯スイッチ２５ａ〜３１ａを前後に長尺の帯状としたので、運転席３や助手席５、２列目や３列目の座席７，９，１１を前後に移動させても、マップランプスイッチ２１ａ，２３ａや読書灯スイッチ２５ａ〜３１ａを乗員に確実に接触操作させることができる。
【００３６】
しかも、マップランプスイッチ２１ａ，２３ａや読書灯スイッチ２５ａ〜３１ａを前後に長尺の帯状としたことで、座席別操作部を前後の隣接する座席の乗員から接触可能に構成することで、例えば、年配の乗員は腕を高く上げることが比較的困難である等、マップランプスイッチ２１ａ，２３ａや読書灯スイッチ２５ａ〜３１ａの接触操作時に取れる姿勢が乗員の年代等によって異なっても、より多様な姿勢での接触操作を可能にすることができる。
【００３７】
ちなみに、マップランプスイッチ２１ａ，２３ａや読書灯スイッチ２５ａ〜３１ａは、静電容量方式のタッチパネルスイッチに代えて、乗員の押圧操作によりバネ力に抗して変位し不図示の接点が開閉する機械式のものでもよい。
【００３８】
また、例えば図４の説明図に示す変形例のように、マップランプスイッチ２１ａ，２３ａや読書灯スイッチ２５ａ〜３１ａを透光性の中空箱体で構成して、その内部にマップランプ２１，２３や読書灯２５〜３１の光源３３ａ〜３３ｆを収容してもよい。その場合、ルーフライナ１３によって覆われずマップランプスイッチ２１ａ，２３ａや読書灯スイッチ２５ａ〜３１ａの車内に露出する部分が、ルーフライナ１３の不図示のランプ窓に代わって、光源３３ａ〜３３ｆからの光を車内側に透過させることになる。
【００３９】
さらに、例えば図５の説明図に示す変形例のように、各光源３３ａ〜３３ｆに対応するルーフライナ１３のランプ窓３４ａ〜３４ｆを、マップランプスイッチ２１ａ，２３ａや読書灯スイッチ２５ａ〜３１ａと並べて車内に露出するように配置してもよい。
【００４０】
なお、本発明の他の実施形態に係る車内照明装置の配置を示す図６の説明図において破線で示すように、マップランプスイッチ２１ａ，２３ａや読書灯スイッチ２５ａ〜３１ａを左右に長尺の帯状としてもよい。この場合、マップランプスイッチ２１ａ，２３ａや読書灯スイッチ２５ａ〜３１ａのタッチパネルは、ルーフライナ１３の天井面部分に配置する。
【００４１】
その場合、マップランプスイッチ２１ａ，２３ａは、運転席３と助手席５の乗員がどちらも接触操作できるように配置する。また、読書灯スイッチ２５ａ，２７ａは、２列目の座席７，９の乗員がどちらも接触操作できるように配置する。さらに、読書灯スイッチ２９ａは、３列目の座席１１の真ん中と左側（読書灯２９側）の乗員だけでなく右側（読書灯３１側）の乗員も、読書灯スイッチ３１ａは、３列目の座席１１の真ん中と右側（読書灯３１側）の乗員だけでなく左側（読書灯２９側）の乗員も、それぞれ接触操作できるように配置する。
【００４２】
このように構成した場合は、マップランプ２１，２３や読書灯２５〜３１の点灯、消灯の操作を、そのマップランプ２１，２３や読書灯２５〜３１によって照明される運転席３や助手席５、２列目や３列目の座席７，９，１１の乗員だけでなく、左右の隣のマップランプ２１，２３や読書灯２５〜３１で照明される座席の乗員もできるようになる。この場合にも、マップランプ２１，２３や読書灯２５〜３１の点灯、消灯の操作性をより向上させることができる。
【００４３】
そして、どちらの実施形態の場合にも、マップランプスイッチ２１ａ，２３ａや読書灯スイッチ２５ａ〜３１ａのタッチパネルは、ルーフライナ１３以外の箇所（例えば、車内の側部に配置されるドアトリムやサイドトリムに配置してもよい。しかし、ルーフライナ１３に配置する方が、接触操作するとき以外にマップランプスイッチ２１ａ，２３ａや読書灯スイッチ２５ａ〜３１ａを誤って接触操作する可能性を低くすることができるので、有利である。
【００４４】
なお、図６の実施形態についても、図４や図５に示す変形例を構成することが可能である。
【００４５】
また、以上に説明した実施形態やその変形例のように、照明ＥＣＵ４３と各読書灯２５〜３１の回路基板３７上のコントローラ内蔵コネクタ３５とを接続する多重通信線３９を車両１のピラー１５，１７の内部に配策するか否かは、任意である。さらに、照明ＥＣＵ４３と各読書灯２５〜３１の回路基板３７との接続にコントローラ内蔵コネクタ３５を用いるか否かは任意である。
【産業上の利用可能性】
【００４６】
本発明は、車内の座席を座席別照明により個別に照明する際に用いて極めて有用である。
【符号の説明】
【００４７】
１  車両
３  運転席（座席）
５  助手席（座席）
７，９，１１  座席
１３  ルーフライナ（室内の天井部）
１５，１７  ピラー
２１，２３  マップランプ（座席別照明）
２１ａ，２３ａ  マップランプスイッチ（座席別操作部）
２５〜３１  読書灯（座席別照明）
２５ａ〜３１ａ  読書灯スイッチ（座席別操作部）
３３ａ〜３３ｆ  光源
３４ａ〜３４ｆ  ランプ窓
３５  コントローラ内蔵コネクタ（コネクタ）
３５ａ  雌コネクタ部
３５ｂ  コントローラ
３７  回路基板
３９  多重通信線
３９ａ  雄コネクタ
４１  車内ＬＡＮ
４３  照明ＥＣＵ
４５  エンジンＥＣＵ
４９  シートＥＣＵ
【図１】
2016055838.tif 000003
【図２】
2016055838.tif 000004
【図３】
2016055838.tif 000005
【図４】
2016055838.tif 000006
【図５】
2016055838.tif 000007
【図６】
2016055838.tif 000008